(57)【要約】【課題】木材による半永久的な魚礁を迅速簡便形成し、プランクトンや魚類の繁殖を計ることを目的とする。【解決手段】複数の木材１を海底又は水底７に沈降し、木材１の初期浮力により起立又は傾斜状態に定着させるための重錘２を木材１に付設し、水圧により、木材組織内の空隙又は気体部分に水を浸透させて木材１の見掛比重を水の比重より大としたことにより、重錘２又は木材１の一端部１’を海底又は水底７に設置又は埋設して定着することを特徴とする魚礁。【選択図】　図１
2004081056.tif 000002
【特許請求の範囲】
【請求項１】
木材を海底又は水底に起立又は傾斜状態に定着させ、水圧により、木材組織内の空隙又は気体部分に水を浸透させて木材の見掛比重を水の比重より大としたことを特徴とする魚礁。
【請求項２】
木材を海底又は水底に沈降し、木材の初期浮力により起立又は傾斜状態に定着させるための重錘を該木材に付設した請求項１記載の魚礁。
【請求項３】
複数の木材を起立し又は交差状態に傾斜させた請求項１又は２記載の魚礁。
【請求項４】
木材の一端部を海底又は水底に埋設して定着させた請求項１〜３のいずれかに記載の魚礁。
【請求項５】
木材が間伐材又は廃材である請求項１〜４のいずれかに記載の魚礁。
【発明の詳細な説明】
【０００１】
【発明の属する技術分野】
本発明は木製魚礁に関するものである。
【０００２】
【従来の技術】
従来、海底定着形魚礁には金属、コンクリート等の重量物が使用されていた。一部試験的に間伐材を井桁状に積重ねて使用した魚礁があるが、流木のおそれがあったため普及していない。
【０００３】
金属は廃船等であって規模が大であるため場所の選定に問題があり、かつ曳船、沈船工事が大規模であり、容易に入手し難く、かつ鉄鋼が腐蝕し易いという問題があった。
【０００４】
コンクリートは重量が大であって、空間を設けるためにはその製造に型枠を要し、製造が複雑であり、製造に時間及び場所を要し、使用初期にはコンクリートが塩基性を呈し、海藻の附着に時間を要した。
【０００５】
木製魚礁において心配される点は、木材の腐朽と長い年月の間に重りがはずれたりして浮き上がり、流木となって航海中の船や海岸に流れつきさまざまな障害を引き起こさないかの点にあった。
【０００６】
しかし、樹木の空隙にある気体の量は２０％前後といわれる。伐採直後の樹木の比重は上記により０．９前後である。海底に沈めた場合、圧力がかかり気体部分は海水が浸透する。乾燥し水分が減った仮導管、導管、柔細胞部はもともと水分の通道組織であり海水はスムーズに浸透する。
【０００７】
又、その部分からの気体部分への浸透も樹木細胞は有孔壁でつながれている部分が多く早い速度で浸透する。その為樹木は浮き上がらない。又、長い年月の間に樹木の構成成分である、セルロースやリグニンは嫌気下において腐植化反応がおこり、凝集、高分子化して比重は益々重くなる（例として湖底の沈木やオダは浮上しない。又、海底の木造沈船も連結部が腐植しバラけても木材は浮上しない。）とともに腐敗分解はおこらない。木材は海底において腐敗しない点と時間がたつと比重が海水より重くなり浮上しない点、そのことの知見が木製魚礁の重要な点である。
【０００８】
【発明が解決しようとする課題】
本発明は間伐材や廃材等の木材に重錘を附して海底又は水底に沈降させることにより、半永久的な魚礁を迅速容易にかつ小規模又は大規模に沈降させ、プランクトンを活性化し魚類を迅速に集め、かつ小魚の安全な生活の場を提供することを目的とする。
【０００９】
【課題を解決するための手段】
上記の目的を達成するため本発明は
第１に木材を海底又は水底に起立又は傾斜状態に定着させ、水圧により、木材組織内の空隙又は気体部分に水を浸透させて木材の見掛比重を水の比重より大としたことを特徴とする魚礁、
第２に木材を海底又は水底に沈降し、木材の初期浮力により起立又は傾斜状態に定着させるための重錘を該木材に付設した上記第１発明記載の魚礁、
第３に複数の木材を起立し又は交差状態に傾斜させた上記第１又は第２発明記載の魚礁、
第４に木材の一端部を海底又は水底に埋設して定着させた上記第１〜第３発明のいずれかに記載の魚礁、
第５に木材が間伐材又は廃材である上記第１〜第４発明のいずれかに記載の魚礁、
によって構成される。
【００１０】
【発明の実施の形態】
一定長に切断した間伐材又は家屋の廃材等の木材１の一端部１’（中央から一端までをいう）の両側面にコンクリートブロックによる重錘２，２を配置し、
重錘２，２の対向面に該重錘２，２に埋設固定した金具３，３を露出して接続部４を形成する。
【００１１】
そして該金具３，３の直立面を上記一端部１’の両側面に接し、
該両側面に穿設した透孔５と、上記金具３，３の直立面に穿設した透孔とにボルト６を挿通し、ナット６’で締付けて固定し、海底又は水底７に投入沈降させる。
【００１２】
又上記重錘２，２に横向透孔を穿設し、木材１にも横向透孔５を同一水準に穿設して接合部４を形成し、ボルト６を挿通してナット６’で締付けて木材１の下端両側に該重錘２を接続固定することができる。
【００１３】
上記重錘２，２の合計重量は木材１の初期浮力よりも大となし、かつ重錘２，２の底面と木材１の下端面とを同一水準とすることによって図１に示すように木材１は上記浮力で海底又は水底７に沈降起立状態に定着する。
【００１４】
又図４（イ）（ロ）図に示すようにコンクリートブロックによる１個の重錘２の上面に埋込金具３，３を露出して上端に透孔３’，３’を穿設して接合部４を形成し、中央部に木材１の下端部１’の両側面を挟持し、上記透孔３’，３’と同一水準に該両側面に横方向透孔５を穿設し、これらの透孔３’，３’，５にボルト６を挿通し、ナット６’で締付けて木材１と重錘２とを固定する。
【００１５】
上記木材１の一端面１”の外周下部は上記重錘２，２の底面と同一水準即ち同一海底面７に接し、木材１は傾斜状態に定着する。傾斜角αは上記一端部１’における透孔５の水準位置によって調整することができる。
【００１６】
上記木材１の下端部１’の重錘２，２は図２、図３及び図５に示すように海底又は水底７の泥土又は土砂８に埋設させることができ、図３及び図５では複数の木材１を起立又は交差状態に傾斜させて定着魚礁９とすることができる。
【００１７】
上述のように定着すると、時間の経過と共に水圧により、木材組織内の空隙又は気体部分、例えば仮導管、導管、柔細胞部等の水分通道組織に水を浸透し、伐採直後の木材の見掛比重０．９は増加して水の比重よりも大となる。
【００１８】
上記木材１はその主成分はリグニン、セルロース等からなり、木造沈船に見られるように嫌気下においては、その有機物は凝集、高分子化するところの、いわゆる腐植化反応が主体となり、分解、低分子化する腐敗反応はわずかでしかない木造沈船のように半永久的に魚礁としての役割を果たすことができる。
【００１９】
また、木材１はその５０％以上が炭素である、森林で吸収された二酸化炭素は炭素として木材１に蓄積される。
【００２０】
一般に樹木は一定の成長期間を過ぎると成長はにぶる。常に効率よく使用され再生産されることが二酸化炭素の吸収効率には良い。
【００２１】
木材１による上記魚礁９は図３に示す起立形或は図５に示す傾斜の形態をとることができる。
【００２２】
起立形は複数の起立木材１に沿って上昇流ａが起りプランクトンを活性化し魚類を集めることができる。
【００２３】
図５に示す傾斜魚礁９では複雑な形状の魚礁９を形成し、小魚の安全な生活の場となり、魚類を増やすことができる。
【００２４】
また、森林を育てる為の間伐材は需要がなく、切りっぱなしで放置されることが多く、それらは５〜１０年で分解し、二酸化炭素として大気中に還元される。また、木造家屋の廃材も、焼却や埋立処分にすれば二酸化炭素として大気に戻される。
【００２５】
水中の様に嫌気下で水分の量が多い状態では、樹木の主成分、セルロース、リグニンは、ほとんど腐植化（高分子化）の過程をたどる。
【００２６】
腐植化の過程の１つとして微生物によってリグニン中のグアシル基が酸化分解し、メトキシル基が脱離し、芳香環が解裂するなどして、腐植物質が生成する経路が考えられているが水中においてはその進行は極端に遅い。
【００２７】
また、リグニンやセルロースにフェノール又は、フェノール化合物を代謝する微生物が関与することによりキノンとなり重合して腐植物質の芳香環を形成する経路も重要な腐植物質の生成過程として考えられているが、これは水中においても速度が速い。
【００２８】
フェノール又はフェノール化合物を代謝する微生物の関与による腐植物質の生成はそのスピードからいって木製魚礁には最適であり、それらの微生物を関与させる方法として腐植前駆物質（ヒューマス等）の存在が重要である。その為下記の方法を考案した。
１．腐植前駆物質を混入させた活性ケイ素の含有量の高い物質（軽石等）１０とともに樹木（木材１）の穿孔１２内に挿入する（図６）。
２．腐植反応が起こっている水溶液１１中にひたし、その溶液を樹木（木材１）内に浸透させる（図７）。
３．１，２の併用
【００２９】
【発明の効果】
本発明は上述のように構成したのでその機能は従来の魚礁と違い木材の初期浮力を利用した起立型や傾斜型の形態をとることができ、従来の魚礁にない優れた機能を発揮する。
【００３０】
起立型は魚類の定置という点に関しては、ダム湖等に沈んだ立枯木に魚類は好んで定着する事がわかる様、魚類を集める為には効果がある。
【００３１】
また、安価であり長さがあり砂に埋っても良い為、従来は設置しにくかった砂地の海底にも容易に設置できる。
【００３２】
さらに本発明は木材を使用する海底定着型の魚礁であり、炭素を蓄積し二酸化炭素の削減に寄与する。また、その機能も従来にない独特のものがあり、環境循環型の製品であり安価につくることができる。
【図面の簡単な説明】
【図１】本発明の１個の直立魚礁の正面図である。
【図２】砂地に直立させた状態の正面図である。
【図３】起立し下端部を土砂に埋めた木材による直立形魚礁の斜視図である。
【図４】（イ）図は傾斜木材の側面図である。
（ロ）図は（イ）図Ａ−Ａ線による背面図である。
【図５】交差した傾斜木材の斜視図である。
【図６】腐植前駆物質挿入状態の斜視図である。
【図７】腐植反応水溶液に木材を浸漬した状態図である。
【符号の説明】
１　　　木材
１’　　一端部
２　　　重錘
３　　　金具
４　　　接合部
３’，５　透孔
６，６’　ボルト・ナット
７　　　海底又は水底
８　　　泥土又は土砂
９　　　魚礁
【図１】
2004081056.tif 000003
【図２】
2004081056.tif 000004
【図３】
2004081056.tif 000005
【図４】
2004081056.tif 000006
【図５】
2004081056.tif 000007
【図６】
2004081056.tif 000008
【図７】
2004081056.tif 000009